(57)【要約】      （修正有）【課題】光ディスク装置を備えたハイブリッドドライブ装置と、持ち運び可能な表示装置とによって構成されるシステムにおいて、少ない消費電力で大容量のデータを扱うことが出来るポータブルハイブリッドシステムを提供する。【解決手段】ポータブルハイブリッドシステム１は、光ディスク装置と、大容量不揮発性メモリを含んだ着脱可能なハイブリッドユニット３０とを備えたハイブリッドドライブ装置１１０を含む補助装置１０と、ハイブリッドユニット３０を取り付けるための挿入口２１を有する表示部２０７とによって構成される。消費電力の小さい大容量不揮発性メモリを装着した表示部２０７のみで、大容量不揮発性メモリに蓄積されたコンテンツの再生が可能であり、長時間駆動が可能となる。【選択図】図１
2012022743.tif 000002
【特許請求の範囲】
【請求項１】
補助装置と、表示装置と、大容量不揮発性メモリを含んだハイブリッドユニットとを有するポータブルハイブリッドシステムであって、
前記補助装置は、光ディスク装置を有すると共に、前記ハイブリッドユニットを着脱自在に取り付け可能とする接続部とを備えており、
前記表示装置は、映像を表示する表示部と、前記ハイブリッドユニットを着脱自在に取り付け可能とする接続部とを有することを特徴とするポータブルハイブリッドシステム。
【請求項２】
前記補助装置と持ち運び可能な表示装置は別体に構成されており、ハイブリッドユニットを装着した表示装置単体のみで、ハイブリッドユニットに記憶されているデータを再生可能に、また、ハイブリッドユニットのメモリ部に記録可能なように構成されていることを特徴とする請求項１に記載のポータブルハイブリッドシステム。
【請求項３】
前記補助装置と表示装置とは着脱可能な構成とされており、一体化した構成でも、別体に分離した構成でも、ハイブリッドユニットに記憶されたデータを再生可能に、また、ハイブリッドユニットに記録可能なように構成されていることを特徴とする請求項１に記載のポータブルハイブリッドシステム。
【請求項４】
前記補助装置は、充電部をさらに備え、
前記充電部は、前記補助装置と前記表示装置とを接続したとき、前記表示装置を充電することを特徴とする請求項１〜３のいずれか１項に記載のポータブルハイブリッドシステム。
【請求項５】
バッテリと、充電部と、光ディスク装置とを備え、更に、大容量不揮発性メモリを着脱自在に取り付け可能とするインターフェース部とを有することを特徴とする補助装置。
【請求項６】
補助装置に備えられているバッテリより小容量のバッテリと、表示部と、大容量不揮発性メモリを着脱自在に取り付け可能とするインターフェース部とを有することを特徴とする表示装置。
【発明の詳細な説明】
【技術分野】
【０００１】
本発明は、光ディスク装置と、大容量不揮発性メモリとを有するハイブリッドユニットと、ポータブル表示装置とを有するポータブルハイブリッドシステムに関する。
【背景技術】
【０００２】
現在、ＢＤ（ブルーレイディスク）等の大容量光ディスクを用いる持ち運び可能な記録再生装置（以下、光ディスク装置という。）が普及している。しかし、光ディスクへの記録・再生には、光ディスク装置のスピンドルモータにより光ディスクを回転駆動し続ける必要がある。スピンドルモータは、通常、１２Ｖの電源に接続され、１．２〜２．４Ａ程度の電流により駆動される。したがって、再生時および記録時には、少なくとも１２〜２４Ｗ程度の電力を消費するため、大容量のバッテリが必要となり、必ずしも持ち運びしやすいものではなかった。
【０００３】
特許文献１には、コンピューティングデバイス（モバイルコンピュータ）と、サポートスタンドと、各種の外部機器を接続可能にするインターフェースを備えた拡張装置とにより構成される拡張システムであって、前記コンピューティングデバイスとサポートスタンドと拡張装置とを夫々着脱可能に構成した拡張システムが記載されている。
【０００４】
特許文献２には、キーボード、ＨＤＤ、ＣＰＵ等を有するベース部と、液晶パネルが組み込まれているディスプレイ部とを分離可能にすると共に、前記ディスプレイ部に表示回路、主メモリ、表示メモリ等を内蔵させ、ディスプレイ部のみを分離して持ち運んだ時にも主メモリに記憶させたデータをディスプレイ部に表示させることができるポータブルパソコンが記載されている。
【０００５】
また、従来、光ディスク装置にＳＤＲＡＭ（Synchronous Dynamic ＲＡＭ）を組み合わせ、使い勝手を改善したハイブリッドドライブ装置が提案されている。
【０００６】
図６は、光ディスク装置にキャッシュメモリとして使用されるＳＤＲＡＭを組み合わせたハイブリッドドライブ装置と表示装置とを備えた従来のポータブルハイブリッドシステムの例を示す図である。図６（ａ）は、光ディスク装置の駆動部６０を示す図であり、図６（ｂ）は、前記駆動部６０と、前記駆動部６０を制御するための制御部５０を備えた光ディスク装置７０とＳＤＲＡＭ４１とからなるハイブリッドドライブ装置１００と、ハイブリッドドライブ装置１００に対して、上位システムとなる表示装置８０とを備えたポータブルハイブリッドシステム２００を示す図である。
【０００７】
図６（ａ）において、光ディスク装置の駆動部６０は、レーザ素子６３を有する光ピックアップ６４と、前記光ピックアップ６４をガイドレール６２に沿って駆動するための水平駆動用モータ６１と、光ディスク６８を回転駆動するスピンドルモータ６５とを有しており、レーザ素子６３からのレーザ光を、レンズアクチュエータ６６によって光ディスク上に焦点を結ぶ光ビーム６７として光ディスク６８に照射して、信号の記録を行い、また、光ディスクからの反射光を受けて信号の再生を行う。
【０００８】
図６（ｂ）には、前述のとおり光ディスク装置７０と、バッファメモリあるいはキャッシュメモリとして動作するＳＤＲＡＭ４１とを有するハイブリッドドライブ装置１００と、ハイブリッドドライブ装置１００に対して、テレビ等の上位システムである表示装置８０とを備えたポータブル光ディスク装置２００の詳細が示されている。ハイブリッドドライブ装置１００と表示装置８０とは、ハイブリッドドライブ装置１００のホストＩ／Ｆ１０１と、表示装置８０のホストＩ／Ｆ８８とを介して接続されている。
【０００９】
前記光ディスク装置７０の駆動部６０を制御するための制御部５０自体は既に公知の構成であり、その動作についての詳細な説明は省くが、制御部５０は、ハイブリッドドライブ装置１００全体の制御を行うＣＰＵ５１、制御用のプログラム等が書きこまれたＰＲＯＭ５２、ＣＰＵ５１のワークメモリとして使用されるＲＡＭ５３の外、メカ／サーボ制御部５４、サーボ制御部５５を有し、更に、バス５９を介して接続された、変調／復調回路及びＥＣＣ処理部５８と、この変調／復調回路及びＥＣＣ処理部５８に接続された再生制御部５６、記録制御部５７を有している。また、前記制御部５０のバス５９にはＳＤＲＡＭバス４８を介してＳＤＲＡＭ４１が接続されている。
【００１０】
また、表示装置８０は、映像を表示する表示部、表示部８１へ表示する映像の入力を切り替える入力切替部８２、表示装置の電源の入切とバッテリとして使用される電源／バッテリ８３、バッテリの残量を検出する残量有無検出８４、入力切替部８２から入力された映像もしくはホストＩ／Ｆ８８を介して入力されたデータを表示部８１へ表示される形式に伸長し、また、ホストＩ／Ｆ８８を介してハイブリッドドライブ装置１００にデータを送信する形式にデータを圧縮するデータ圧縮伸長処理部８５、コマンド／機器制御部８７のワークメモリとして使用されるＲＡＭ８６、及び、表示装置８０全体を制御し、ホストＩ／Ｆ８８を介してハイブリッドドライブ装置１００にデータを送信する際にデータと一緒に送るコマンドを発行するコマンド／機器制御部８７を備えている。また、各部はバス８９に接続されている。
【００１１】
また、光ディスク６８からの再生信号は、図６（ｂ）に示された再生制御部５６、変調／復調回路及びＥＣＣ回路５８を経由して、表示装置８０側に送られる。
【００１２】
図７は、図６（ｂ）に示したハイブリッドドライブ装置１００の動作の概略を示すフロー図である。図７（ａ）は、前記ハイブリッドドライブ装置１００を構成する光ディスク装置７０立上げ時の動作の概略を示しており、図７（ｂ）は、前記ハイブリッドドライブ装置１００における前記光ディスク６８からのデータ再生時のフローを示しており、図７（ｃ）は、前記光ディスク６８へのデータ記録時のフローを示している。
【００１３】
前記光ディスク装置７０の立上げは、図７（ａ）に示すとおり、電源がオン（ステップ１、以下単にＳ．１と記載する。）された後、光ディスク６８（以下、単にディスクという場合がある。）が挿入されると（Ｓ．２）、スピンドルモータが回転を開始し（Ｓ．３）、フォーカスサーボがオンになって（Ｓ．４）、ディスク種類の判別が行われ（Ｓ．５）、更に、トラッキングサーボがオンになる（Ｓ．６）。
【００１４】
ディスク／サーボの確定が確認された後（Ｓ．７）、光ディスク６８の基本データが再生され（Ｓ．８）、表示装置８０のような上位システムによる記録又は再生要請に対しての準備が完了して（Ｓ．９）、上位システムからの指令を受けて光ディスク６８への記録又は再生が行われる（Ｓ．１０）ことになる。
【００１５】
図７（ｂ）は、前記ハイブリッドドライブ装置１００における光ディスク再生時のデータの流れを示しており、光ディスク６８からの再生データはＳＤＲＡＭ４１を介して（Ｓ．１１）、前記表示装置８０のような上位システムに転送される（Ｓ．１２）。
【００１６】
図７（ｃ）は、上位システムからのデータを光ディスク６８へ記録する際のデータの流れを示す図である。上位システムからは、コマンドと共にデータが送られてくる（Ｓ．１３）ので、このデータ付きのコマンドはＳＤＲＡＭ４１経由（Ｓ．１４）で光ディスク装置７０に送られ、光ディスク６８にデータが記録される。なお、既に説明したとおり、図７（ｂ）に示す場合も図７（ｃ）に示す場合も、何れもＳＤＲＡＭ４１は、バッファメモリあるいはキャッシュメモリとしての役割を果たすことになる。
【先行技術文献】
【特許文献】
【００１７】
【特許文献１】特開２００６−２２８２３４号公報（２００６年８月３１日公開）
【特許文献２】特開平５−１５８５７８号公報（平成５年６月２５日公開）
【発明の概要】
【発明が解決しようとする課題】
【００１８】
特許文献１には、コンピューティングデバイスを拡張装置から分離して、超軽量モバイルコンピュータとすることができる旨の記載があるが、大容量の映像情報等を扱えるようなものではなく、また、バッテリについての記載もない。
【００１９】
特許文献２に記載の技術には、表示部内蔵のメモリはリジュームレベルのメモリ量でしかなく、ＢＤ（Ｂｌｕ‐ｒａｙ  Ｄｉｓｃ、登録商標）のような大容量メモリに記録されている映像情報を扱えるものではない。また、表示部が有するバッテリについては記述されていない。
【００２０】
また、図６、図７に示された技術によれば、ＳＤＲＡＭをキャッシュとして用いることが記載されているが、通常、ＳＤＲＡＭへのデータのリード／ライトを行うためのアドレスは、８ＭＢから１６ＭＢ程度であるため、大量のデータ保存等は不可能であり、使い勝手を改善するための根本的な解決にはなっていないという課題を有する。
【課題を解決するための手段】
【００２１】
上記の課題を解決するために、本発明は、補助装置と、表示装置と、大容量不揮発性メモリを含んだハイブリッドユニットとを有するポータブルハイブリッドシステムであって、前記補助装置は、光ディスク装置を有すると共に、前記ハイブリッドユニットを着脱自在に取り付け可能とする接続部とを備えており、前記表示装置は、映像を表示する表示部と、前記ハイブリッドユニットを着脱自在に取り付け可能とする接続部とを有することを特徴としている。
【００２２】
これによれば、補助装置にて記録されたデータを含んだ着脱可能なハイブリッドユニットを、表示装置に取り付けることで、ユーザは、上記データを表示装置で見ることができる。上記補助装置にて記録されたデータには、光ディスクに記録されているデータを含むことも可能であり、ユーザは上記データを、光ディスクを起動することなく、ハイブリッドユニットを装着した表示装置から見ることが出来る。
【００２３】
本発明におけるポータブルハイブリッドシステムにおいて、前記補助装置と持ち運び可能な表示装置は別体に構成されており、ハイブリッドユニットを装着した表示装置単体のみで、ハイブリッドユニットに記憶されているデータを再生可能に、また、ハイブリッドユニットの大容量不揮発性メモリに記録可能なように構成されていることを特徴としている。
【００２４】
これによれば、光ディスク装置より消費電力の小さいハイブリッドユニットを装着した表示装置を用いてハイブリッドユニットに記録させた大量のデータを長時間視聴、更に、記録することが可能となる。
【００２５】
また、表示装置自体は、光ディスク装置を持たないことにより、軽量化することができるため、持ち運びに最適である。
【００２６】
本発明におけるポータブルハイブリッドシステムにおいて、前記補助装置と表示装置とは着脱可能な構成とされており、一体化した構成でも、別体に分離した構成でも、ハイブリッドユニットに記憶されたデータを再生可能に、また、ハイブリッドユニットに記録可能なように構成されていることを特徴としている。
【００２７】
これによれば、ハイブリッドユニットと補助装置とは、切り分けて利用可能である。また、一体化した構成において、ハイブリッドユニットを表示装置とのどちらに取り付けているかを気にすることなく、ハイブリッドユニット内のデータを再生することが出来る。
【００２８】
本発明におけるポータブルハイブリッドシステムにおいて、前記補助装置は、充電部をさらに備え、前記充電部は、前記補助装置と前記表示装置とを接続したとき、前記表示装置を充電することを特徴としている。
【００２９】
これによれば、補助装置と表示装置とを接続することによって自動的に充電が行われるため、ユーザは意識することなく、表示装置のバッテリを充電することが出来る。
【００３０】
本発明におけるポータブルハイブリッドシステムの補助装置は、バッテリと、充電部と、光ディスク装置とを備え、更に、大容量不揮発性メモリを着脱自在に取り付け可能とするインターフェース部とを有することを特徴としている。
【００３１】
これによれば、大容量不揮発性メモリの追加が容易であり、且つ、高速動作が可能な補助装置を提供することが出来る。
【００３２】
本発明におけるポータブルハイブリッドシステムの表示装置は、補助装置に備えられているバッテリより小容量のバッテリと、表示部と、大容量不揮発性メモリを着脱自在に取り付け可能とするインターフェース部とを有することを特徴としている。
【００３３】
これによれば、大容量不揮発性メモリの追加が容易であり、且つ、消費電力が少なく高速動作が可能な表示装置を提供することが出来る。
【発明の効果】
【００３４】
以上に述べたとおり、本発明は、補助装置と、表示装置と、大容量不揮発性メモリを含んだハイブリッドユニットとを有するポータブルハイブリッドシステムであって、前記補助装置は、光ディスク装置を有すると共に、前記ハイブリッドユニットを着脱自在に取り付け可能とする接続部とを備えており、前記表示装置は、映像を表示する表示部と、前記ハイブリッドユニットを着脱自在に取り付け可能とする接続部とを有することを特徴としている。
【００３５】
上記の発明によれば、ユーザは補助装置で記録再生可能な光ディスクに記録されたデータを、光ディスクを起動することなく、光ディスク装置より消費電力の小さい表示装置から見ることが可能であり、長時間駆動が実現できる。
【図面の簡単な説明】
【００３６】
【図１】本発明に係るポータブルハイブリッドシステムのシステム構成を示す図である。
【図２】本発明に係るポータブルハイブリッドシステムのシステム構成の他の例を示す図である。
【図３】本発明に係るポータブルハイブリッドシステムの内部構成を示すブロック図である。
【図４】本発明に係るハイブリッドユニットの内部構成を示すブロック図である。
【図５】本発明に係るポータブルハイブリッドシステムの使用例を示すフロー図である。
【図６】光ディスク装置にＳＤＲＡＭを組み合わせた従来のハイブリッドドライブ装置と表示装置とを備えた従来のポータブルハイブリッドシステムの例を示す図である。
【図７】従来のハイブリッドドライブ装置における光ディスク再生時のデータの流れを示す図である。
【発明を実施するための形態】
【００３７】
以下、本発明の実施の形態について、図面を用いて詳細に説明する。なお、以下の説明では本発明を実施するために好ましい種々の限定が付与されているが、本発明の技術的範囲は以下の実施例及び図面の記載に限定されるものではない。
【実施例】
【００３８】
始めに、図１を用いて本発明に係るポータブルハイブリッドシステムのシステム構成の概略を説明し、次いで、図２を用いて、本発明に係るポータブルハイブリッドシステムのシステム構成の変形例を説明する。更に、図３、図４を用いて本発明に係るポータブルハイブリッドシステムの内部構成を説明し、図５を用いて、本発明に係るポータブルハイブリッドシステムの使用例を説明する。
【００３９】
図１において、１は、本発明のポータブルハイブリッドシステムである。ポータブルハイブリッドシステム１は、補助ユニット（補助装置）１０とポータブル表示装置（表示装置）２０とによって構成される。なお、図１に示す光ディスク６８は、ポータブルハイブリッドシステム１を構成する部材ではないが、本発明の理解を容易にするために、便宜上図１に示している。
【００４０】
補助ユニット１０は、ハイブリッドドライブ装置１１０、補助ユニット１０に電力を供給する電源部１２０、及び、光ディスクなどを保存するためのディスクケース１３０を備えている。
【００４１】
ハイブリッドドライブ装置（ハイブリッド光ディスクドライブ装置）１１０は、後で詳細を説明する光ディスクドライブ装置と、着脱可能とされたハイブリッドユニット３０と、前記ハイブリッドユニットを着脱自在に取り付け可能にする挿入口（接続部）１１を有している。また、前記ハイブリッドユニット３０は、大容量不揮発性メモリを備えているが構成の詳細は後で説明する。１２は、光ディスク６８をハイブリッドドライブ装置１１０に装填するための挿入口である。
【００４２】
ディスクケース１３０は、光ディスクなどを保存するためのケースである。ディスクケース１３０は、補助ユニット１０の大きさをポータブル表示装置２０と同じ大きさにするために使用することが好ましいが、これに限られない。また、ディスクケース１３０は、補助ユニット１０に構成されていなくてもよい。
【００４３】
ポータブル表示装置２０は、映像を表示する表示部２０７と、ハイブリッドドライブ装置１１０に装填されるハイブリッドユニット３０を着脱自在に取り付け可能にするための挿入口（接続部）２１とを備えている。ハイブリッドユニット装着時には映像等のデータを記録再生可能とするよう構成される。
【００４４】
図２は、ポータブルハイブリッドシステム１のシステム構成の変形例を示す。図２（ａ）は、補助ユニット１０とポータブル表示装置２０とを接続ケーブル１４ａを用いて接続している。接続ケーブル１４ａは、補助ユニット１０とポータブル表示装置２０を接続するためのケーブルであり、例えば、ＡＴＡＰＩによる接続が好ましいが、補助ユニット１０からポータブル表示装置２０へ電力を供給するケーブルとデータを送信するケーブルとを別々に設けてもよい。また、接続ケーブル１４ａの例としては、ＵＳＢケーブル、ＨＤＭＩケーブル等であっても良い。
【００４５】
図２（ｂ）は、補助ユニット１０の上部と、ポータブル表示装置２０の表示部２０７の反対側の面とを接続している例であり、図２（ｃ）は、図２（ｂ）の接続例における接続箇所を表した図である。ピン１３ｃは補助ユニット１０とポータブル表示装置２０とを接続する位置を示すガイド用のピンであり、接続コネクタ１４ｃは、補助ユニット１０と表示装置２０とを接続するインターフェースとして働き、補助ユニット１０からポータブル表示装置２０へ電力を供給すると共に、データを送受信するインターフェースであってもよい。接続コネクタ１４ｃの例としては、ＡＴＡＰＩによる接続が好ましいが、ＵＳＢインターフェース、ＳＣＳＩなどが挙げられる。
【００４６】
図２（ｄ）は、補助ユニット１０の上部にポータブル表示装置２０を接続している他の例である、図２（ｄ）においては、ディスクケース１３０が無い場合の補助ユニット１０の上部にポータブル表示装置２０を接続している。このような場合においても、図２（ｂ）と同様に補助ユニット１０の上部にポータブル表示装置２０を接続することが出来る。
【００４７】
図２（ｅ）は、補助ユニット１０の上部とポータブル表示装置２０の表示部２０７とが向かい合わさる形で接続され、補助ユニット１０とポータブル表示装置２０とが開閉自在に結合されている例を示す。図２（ｆ）は、図２（ｅ）の接続例における接続箇所を表した図である。ピン１３ｆは、補助ユニット１０とポータブル表示装置２０とを接続する位置を示すガイド用のピンである。また、ピン１３ｆは、補助ユニット１０とポータブル表示装置２０とを開閉自在に結合させる結合部材としても働くものである。接続コネクタ１４ｆは、補助ユニット１０と表示装置２０とを接続するインターフェースであり、補助ユニット１０からポータブル表示装置２０へ電力を供給すると共に、データを送信するインターフェースである。接続コネクタ１４ｆの例としては、ＡＴＡＰＩによる接続が好ましいが、ＵＳＢインターフェース、ＳＣＳＩなどであっても良い。
【００４８】
図２に示したいずれの場合も、ポータブル表示装置２０は、補助ユニット１０と分離可能であり、補助ユニット及びポータブル表示装置の双方に対して、大容量不揮発性メモリを有するハイブリッドユニット３０が着脱可能に構成されており、ハイブリッドユニット３０を装着したポータブル表示装置２０を持ち出して、ハイブリッドユニット３０に記憶させたコンテンツを楽しむことができる。
【００４９】
また、ポータブル表示装置２０は、チューナなどから受信したデータをハイブリッドユニット３０に記録可能である。ポータブル表示装置２０にてデータが記録された、ハイブリッドユニット３０を、補助ユニット１０のハイブリッド光ディスクドライブ装置１１０に装着した場合、ハイブリッド光ディスクドライブ装置１１０は、ハイブリッドユニット３０に記録されたデータを光ディスクに記録することも可能である。
【００５０】
図３は、図１のポータブルハイブリッドシステム１における各装置の内部構成を示すブロック図であり、図３（ａ）は、補助ユニット１０の内部構成を示し、図３（ｂ）は、補助ユニット１０を構成するハイブリッドドライブ装置１１０の内部構成を示し、図３（ｃ）は、ポータブル表示装置２０の内部構成を示す。
【００５１】
図３（ａ）に示すとおり、補助ユニット１０は、ハイブリッドドライブ装置（ハイブリッド光ディスクドライブ装置）１１０、電源部１２０、及び、ディスクケース１３０を備えている。電源部１２０は、補助ユニット１０に電力を供給する大容量バッテリ（バッテリ）１２１と、図２で示したように補助ユニット１０とポータブル表示装置２０とが接続した際、ポータブル表示装置２０に含まれる小バッテリ（バッテリ）２０２を充電するためのインターフェースである充電Ｉ／Ｆ（充電部）１２２とによって構成される。
【００５２】
大容量バッテリ１２１は、ハイブリッド光ディスクドライブ装置１１０が消費する十分な電力を保持しており、例えば、ハイブリッド光ディスクドライブ装置１１０が光ディスクにデータを連続して２時間程度記録する場合に消費される電力を保持している。なお、大容量バッテリ１２１を用いたハイブリッド光ディスクドライブ装置１１０の連続駆動時間はこれに限定されない。
【００５３】
また、ポータブル表示装置２０に含まれる小バッテリ２０２は、前記大容量バッテリ１２１より小容量で軽量のバッテリとすることができる。即ち、ハイブリッドユニット３０をポータブル表示装置に装着し、ハイブリッドユニット３０の大容量不揮発性メモリ３０３に記憶されているデータを再生する場合、或いは、大容量不揮発性メモリ３０３にデータを記憶する場合の何れの場合も、消費電力の大きい光ディスク装置７０を駆動する必要がないため、大幅に消費電力を小さくすることができる。従って、例えば、ポータブル表示装置２０を連続して１０時間程度駆動可能としても、前記大容量バッテリ１２１より、より小容量で軽量のバッテリとすることができる。小バッテリ２０２の容量は、ポータブル表示装置２０の連続駆動可能時間と、ポータブル表示装置２０の重さを勘案して決定すれば良い。また、小バッテリ２０２として、容量の異なる複数種類のバッテリを準備しておくこともできる。
【００５４】
図３（ｂ）は、図３（ａ）の補助ユニット１０を構成するハイブリッドドライブ装置（ハイブリッド光ディスクドライブ装置）１１０の内部構成を示すブロック図である。図３（ｂ）に示すとおり、ハイブリッドドライブ装置１１０は、制御部５０、駆動部６０、インターフェース部１１９、及び、ハイブリッドユニット３０を備えている。また、制御部５０は、レーザ駆動部１１１、再生信号処理部１１２、ピックアップ駆動部１１３、スピンドルモータ駆動部１１４、ローデングメカ駆動部１１５、変調／インターリーブ部１１６、復調／デインターリーブ部１１７及びドライブ制御部１１８を有している。なお、７０は、光ディスク装置を示しており、前記制御部５０と前記駆動部６０とから構成される。
【００５５】
また、ハイブリッドユニット３０は、インターフェース部３０１、バッファメモリ３０２、大容量不揮発性メモリ３０３、ハイブリッド制御部３０４及びインターフェース部３０５を備えており、各部はバス３０６に接続されている。大容量不揮発性メモリ３０３は、例えば、ｅＭＭＣ（Embedded Multi Media Card）メモリから構成されており、例えば、ＢＤの１枚分程度の容量、即ち、２５ＧＢ〜５０ＧＢの容量を有している。大容量不揮発性メモリ３０３へのアクセスの方法の一例については、図４を用いて後で説明する。なお、本発明では、このような大容量不揮発性メモリ３０３を含むユニットをハイブリッドユニットと定義している。
【００５６】
なお、上記ハイブリッドユニット３０の、インターフェース部３０１は、ＡＴＡＰＩ、ＵＳＢインターフェース、及びＳＣＳＩなど規格化されたインターフェースであってもよいし、より薄型化、小型化された、規格化されていない独自インターフェースであってもよい。つまり、上記ハイブリッドユニット３０の、インターフェース部３０１は、光ディスク装置７０のインターフェース部１１９及びポータブル表示装置２０のインターフェース２０１の両方に接続可能なインターフェースであればよい。
【００５７】
ハイブリッドドライブ装置１１０のドライブ制御部１１８は、光ディスクが装填されると、スピンドルモータ駆動部１１４に光ディスクを回転させるよう指示し、ピックアップ駆動部１１３に光ピックアップを駆動するよう指示する。また、レーザ駆動部１１１は、レーザ光を光ディスクに照射し、光ディスクからの反射光を受けた再生信号処理部１１２は、再生信号を復調／デインターリーブ部１１７に供給する。復調／デインターリーブ部
１１７は、ドライブ制御部１１８からの指示により、再生信号処理部１１２から受信した再生信号を復調し、インターフェース部１１９、及び、ハイブリッドユニット３０のインターフェース部３０１を介してハイブリッドユニット３０に供給する。また、ドライブ制御部１１８は、読み出した光ディスクを特定するための情報であるディスクＩＤを上記復調された再生信号と共にハイブリッドユニット３０に供給する。
【００５８】
ハイブリッドユニット３０のインターフェース部３０１を介して受信した復調された再生信号及び光ディスクＩＤは、ハイブリッド制御部３０４の指示により、大容量不揮発性メモリ３０３に格納される。
【００５９】
また、ハイブリッドユニット３０の大容量不揮発性メモリ３０３に格納されている映像信号等は、ハイブリッド制御部３０４の指示により、インターフェース部３０１及びインターフェース部１１９を介してハイブリッド光ディスクドライブの変調／インターリーブ部１１６に供給される。
【００６０】
変調／インターリーブ部１１６は、ドライブ制御部１１８からの指示により、インターフェース部１１９から受信した映像信号を変調し、レーザ駆動部１１１に供給する。レーザ駆動部１１１は、受信した映像信号をレーザ光により、光ディスクに記録する。
【００６１】
図３（ｃ）は、ポータブルハイブリッドシステム１を構成するポータブル表示装置２０の内部構成を示すブロック図である。図３（ｃ）に示すとおり、ポータブル表示装置２０は、インターフェース部２０１、小バッテリ（バッテリ）２０２、バッテリ残量検出部２０３、データ圧縮／伸長部２０４、ポータブル表示装置制御部２０５、表示／入力処理部２０６、表示部２０７、ＴＶチューナ２０８、静止動画処理部２０９、外部機器入力部２１０及び通信処理部２１１を備えており、各部はバス２２０に接続されている。
【００６２】
また、ポータブル表示装置２０は、ハイブリッドドライブ装置１１０に着脱可能に装填されていたハイブリットユニット３０を、同様に、ポータブル表示装置２０に着脱可能としており、ポータブル表示装置２０に取り付けられたハイブリッドユニット３０は、バス２２０に接続される。
【００６３】
インターフェース部２０１は、ポータブル表示装置２０と補助ユニット１０とが接続されたときに、補助ユニット１０と通信を行うためのインターフェースである。
【００６４】
ポータブル表示装置制御部２０５は、バス２２０で接続された各部を制御する。ポータブル表示装置制御部２０５からの指示は、バス２２０を介して各部に通知される。
【００６５】
小バッテリ２０２は、ポータブル表示装置２０に電力を供給する。バッテリ残量検出部２０３は、小バッテリ２０２から通知されるバッテリ残量を検知し、ポータブル表示装置制御部２０５に通知する。なお、図２に示した例のように、ポータブル表示装置２０が、補助ユニット１０に接続されている際には、ポータブル表示装置２０は、補助ユニット１０内の大容量バッテリ１２１から給電を受けるようにしても良い。
【００６６】
図３（ｃ）に示した例では、表示部２０７は、文字や画像、映像などを表示する表示機能を備えた表示ＬＣＤ２１２、及び、ユーザが指や専用のペンで画面に触れた際にこの接触を検知することにより指示を入力する入力機能を備えたタッチパネル２１３より構成される。表示部２０７の表示ＬＣＤ２１２は、例えば、液晶ディスプレイや有機ＥＬディスプレイなどの一般的な表示装置により構成される。また、タッチパネル２１３は、接触を検知するための素子がディスプレイの表面に配置されて、更にその上に透明なスクリーンが積層されることにより形成されている。タッチパネル２１３上の接触を感知する方法は、圧力の変化を感知する感圧式であってもよいし、静電気による電気信号を感知する静電式であってもよいし、そのほかの方法であってもよい。
【００６７】
表示／入力処理部２０６は、（１）ＴＶチューナ２０８が、放送局（地上局、衛星など）から送信された放送信号を、アンテナを介して受信した映像、（２）静止動画処理部２０９が、デジタルカメラのような静止画／動画撮影機器から受信した静止画／動画像、（３）外部機器入力部２１０が携帯電話端末など外部機器から受信した映像、（４）通信処理部２１１がインターネットなどの通信手段を用いて受信した映像、及び（５）ハイブリッドユニット３０の大容量不揮発性メモリ３０３に記録されたデータ、のうち何れか１つを表示ＬＣＤ２１２に表示するように選択する。なお、上記表示／入力処理部２０６は、上記の映像、静止画像、動画像、データ等の内の１つまたは複数を加工し組み合わせて、１つの画面に表示させても良い。また、表示／入力処理部２０６は、タッチパネル２１３から入力された情報を取得する。
【００６８】
なお、表示／入力処理部２０６がタッチパネル２１３に表示させる操作内容を示す操作メニューは、ポータブル表示装置２０と補助ユニット１０とが接続している場合と接続していない場合とで、異なっていてもよいし、同じであってもよい。
【００６９】
データ圧縮／伸長部２０４は、ポータブル表示装置制御部２０５からの指示に従い、（１）ＴＶチューナ１０８が、放送局（地上局、衛星など）から送信された放送信号を、アンテナを介して受信した映像、（２）静止動画処理部２０９が、デジタルカメラのような静止画／動画撮影機器から受信した静止画／動画像、（３）外部機器入力部２１０が携帯電話端末など外部機器から受信した映像、（４）通信処理部２１１がインターネットなどの通信手段を用いて受信した映像及び（５）ハイブリッドユニット３０の大容量不揮発性メモリ３０３に記録されたデータ、を表示ＬＣＤに表示可能な形式にし、表示／入力処理部２０６に供給する。
【００７０】
また、データ圧縮／伸長部２０４は、ポータブル表示装置制御部２０５からの指示に従い、（１）ＴＶチューナ１０８が、放送局（地上局、衛星など）から送信された放送信号を、アンテナを介して受信した映像、（２）静止動画処理部２０９が、デジタルカメラのような静止画／動画撮影機器から受信した静止画／動画像、（３）外部機器入力部２１０が携帯電話端末など外部機器から受信した映像、及び（４）通信処理部２１１がインターネットなどの通信手段を用いて受信した映像をハイブリッドユニット３０の大容量不揮発性メモリ３０３に記録可能な形式にし、ハイブリッドユニット３０に供給する。
【００７１】
ハイブリッドユニット３０の大容量不揮発性メモリ３０３に記録されたデータは、ハイブリッドドライブ装置１１０にハイブリッドユニット３０を装填した際に記録されたデータであってもよく、該データは、光ディスク６８に記録されているデータを含むことも可能である。そのため、ユーザは、光ディスクを起動することなく、ハイブリッドユニット３０をポータブル表示装置２０の挿入口２１に挿入することによって、上記データを見ることが出来る。
【００７２】
また、大容量不揮発性メモリ３０３に記録された光ディスク６８のデータは、光ディスク６８の回転時などに消費される電力が無いため、光ディスク装置７０を用いて光ディスク６８に記録されたデータを視聴しているときと比べ、少ない消費電力で視聴することが出来る。そのため、ユーザは、大容量不揮発性メモリ３０３を用いることで少ないバッテリで光ディスク６８に記録されたデータを視聴すること、または光ディスク６８にデータを記録することが可能となる。特に、前記ポータブル表示装置２０を補助ユニット１０から分離し、軽量なポータブル表示装置２０のみを持ち出した場合等において、ユーザは小バッテリ２０２の電力を使用しながらも、比較的長時間に渡り、大容量不揮発性メモリ３０３に記録された種々のコンテンツを楽しむことができる。
【００７３】
また、ポータブル表示装置２０は、チューナなどから受信したデータをハイブリッドユニット３０に記録可能である。ポータブル表示装置２０にてデータが記録された、ハイブリッドユニット３０を、補助ユニット１０のハイブリッド光ディスクドライブ装置１１０に装着した場合、ハイブリッド光ディスクドライブ装置１１０は、ハイブリッドユニット３０に記録されたデータを光ディスクに記録することも可能である。
【００７４】
図４は、ハイブリッドユニット３０の内部構成の詳細を示すブロック図である。図４において、図３（ｂ）に示したハイブリッドユニット３０と同一の番号が付されている構成部分には、同一の構成を示しているので、それらの構成部分の説明は除く。なお、図４には、ハイブリッドユニット３０のハイブリッド制御部３０４をＦＰＧＡ（Field Programmable Gate Array）で作成する場合を例として記載しているが、本発明はこれに限定されるものではない。
【００７５】
図４に示すとおり、本発明に係るハイブリッドユニット３０のハイブリッド制御部３０４は、インターフェース変換回路３０７、ＦＰＧＡ（Field Programmable Gate Array）内回路入力制御部３０８、及び、大容量不揮発性メモリアドレス指定用レジスタ３０９を備えている。
【００７６】
なお、大容量不揮発性メモリ３０３には、例えばｅＭＭＣ（Embedded Multi Media Card）等を用いることが出来るが、これに限られること無く、モータ等による駆動を必要としない半導体メモリ等の静的記憶装置であればよい。
【００７７】
ＦＰＧＡ内回路入力制御部３０８は、ＦＰＧＡを用いたインターフェース変換回路３０７の動作を制御するものである。また、大容量不揮発性メモリアドレス指定用レジスタ３０９は、大容量不揮発性メモリ３０３にデータを記憶する際に指定されたメモリアドレス等を記憶しておくためのレジスタである。
【００７８】
即ち、大容量不揮発性メモリ３０３にデータを転送する場合、予め、前記大容量不揮発性メモリアドレス指定用レジスタ３０９に、記録スタートのアドレスと長さ情報を指定してからＤＭＡ転送することになる。逆に、読み出しの際には、前記大容量不揮発性メモリアドレス指定用レジスタ３０９を参照して、大容量不揮発性メモリ３０３にアクセスする。
【００７９】
図５は、ポータブルハイブリッドシステム１の使用例を示すフロー図である。図５（ａ）は、ハイブリッドユニット３０をハイブリッドドライブ装置１１０に装填している場合において、光ディスクを再生する場合のフローを示す。図３を参照しながら、以下にポータブルハイブリッドシステム１の動作を説明する。
【００８０】
ハイブリッドドライブ装置１１０を含む補助ユニットの電源をＯＮにし、光ディスクを光ディスク装置７０に装填すると、ハイブリッドドライブ装置１１０は、光ディスク装置７０を立ち上げる（Ｓ．２１）。ドライブ制御部１１８は、光ディスクのディスクＩＤを確認し、インターフェース部１１９を介して、ハイブリッドユニット３０のハイブリッド制御部３０４に供給する。ハイブリッド制御部３０４は、ドライブ制御部１１８から供給されたディスクＩＤが大容量不揮発性メモリ３０３に記録されているか否かを確認する（Ｓ．２２）。
【００８１】
ディスクＩＤが大容量不揮発性メモリ３０３に記録されている場合（Ｓ．２２にてＹｅｓ）、ハイブリッド制御部３０４は、該ディスクＩＤに関連付けて記録されているデータのタイトルをドライブ制御部１１８に通知する。ドライブ制御部１１８は、該光ディスクに記録されているデータのうち、通知されたタイトル以外のタイトルのデータ、即ち、大容量不揮発性メモリに記憶されていないデータを再生すると同時に、該タイトルと、該タイトルが付与されているデータとを該ディスクＩＤに関連付けて大容量不揮発性メモリ３０３に記録する（Ｓ．２３）。
【００８２】
ディスクＩＤが大容量不揮発性メモリ３０３に記録されていない場合（Ｓ．２２にてＮｏ）、ドライブ制御部１１８は、光ディスクに記録されているデータを順に再生すると同時に、該データを大容量不揮発性メモリ３０３もしくは、その他の記憶部に記録する（Ｓ．２４）。このとき、該データのタイトルと該データとを、該ディスクＩＤと関連付けて大容量不揮発性メモリに記録してもよい。
【００８３】
ハイブリッドユニット３０の大容量不揮発性メモリ３０３への記録が完了すると（Ｓ．２５）、光ディスク装置７０は、光ディスクを排出し、ドライブ制御部１１８は、ハイブリッドドライブ装置１１０の電源をＯＦＦにする（Ｓ．２６）。
【００８４】
なお、Ｓ．２３及びＳ．２４にて記録される光ディスクは１枚に限定されない。大容量不揮発性メモリ３０３は、数十ＧＢ以上の記憶領域を持ったメモリであるため、光ディスク数枚分のデータを記録することが可能である。そのため、ハイブリッドドライブ装置１１０がディスク数枚を格納し、使用する光ディスクを切り替えることが出来るチェンジャー機能を持っている場合、Ｓ．２３及びＳ．２４終了後は、Ｓ．２２に戻り、次の光ディスクのディスクＩＤが大容量不揮発性メモリ３０３に記録されているか否かを確認する。
【００８５】
図５（ｂ）は、予めデータが記録されているハイブリッドユニット３０を、ハイブリッドドライブ装置１１０に装填していた場合において、ハイブリッドユニット３０に記録されているデータを光ディスクに記録する処理の流れを示す。
【００８６】
ハイブリッドユニット３０を挿入口１１から、ハイブリッドドライブ装置１１０に装填し（Ｓ．３１）、ハイブリッドドライブ装置１１０の電源をＯＮにして、光ディスクを光ディスク装置７０に挿入する（Ｓ．３２）と、ドライブ制御部１１８は、光ディスクのディスクＩＤを確認し、インターフェース部１１９を介して、ハイブリッドユニット３０のハイブリッド制御部３０４に供給する。ハイブリッド制御部３０４は、ドライブ制御部１１８から供給されたディスクＩＤが大容量不揮発性メモリ３０３に記録されているか否かを確認する（Ｓ．３３）。
【００８７】
ディスクＩＤが大容量不揮発性メモリ３０３に記録されている場合（Ｓ．３３にてＹｅｓ）、ハイブリッド制御部３０４は、該ディスクＩＤに関連付けて記録されているタイトル及びデータを該光ディスクにて再生可能な形式で、該光ディスクの空き領域に記録する（Ｓ．３４）。
【００８８】
ディスクＩＤが大容量不揮発性メモリ３０３に記録されていない場合（Ｓ．３３にてＮｏ）、ハイブリッド制御部３０４は、大容量不揮発性メモリ３０３に記録されているデータを、該光ディスクにて再生可能な形式で、該光ディスクの空き領域に記録する（Ｓ．３５）。
【００８９】
ドライブ制御部１１８は、ユーザが選択した大容量不揮発性メモリ３０３のデータを光ディスクに記録する際の記録モードが、コピーであるかムーブであるかを確認し（Ｓ．３６）、コピーである場合、ハイブリッドユニット３０の大容量不揮発性メモリ３０３のデータはそのままの状態にする（Ｓ．３７）。記録モードがムーブである場合、ハイブリッド制御部３０４は、大容量不揮発性メモリ３０３に記録されており、Ｓ．３４またはＳ．３５にて光ディスクに記録したデータを、その内容をユーザに確認させ、消去する（Ｓ．３８）。光ディスクへの記録が完了する、光ディスク装置７０は、光ディスクを排出する（Ｓ．３９）。
【００９０】
図５（ｃ）は、ハイブリッドユニット３０をポータブル表示装置２０に取り付けた場合における、データの流れを示す。
【００９１】
ポータブル表示装置２０の電源を入れる（Ｓ．４１）と、ポータブル表示装置２０のバッテリ残量検出部２０３は、小バッテリ２０２からバッテリの残量を取得する（Ｓ．４２）。バッテリ残量検出部２０３は、バッテリの残量が有るか否かを判定し（Ｓ．４３）、バッテリの残量が無い場合（Ｓ．４３にてＮｏ）、補助ユニット１０の大容量バッテリ１２１から充電Ｉ／Ｆ１２２を介して、充電をおこなう（Ｓ。４４）。
【００９２】
バッテリの残量が有る場合（Ｓ．４３にてＹｅｓ）、ハイブリッドユニット３０にデータを記録する、または、ハイブリッドユニット３０のデータを編集するか否かをユーザに問い合わせ、ユーザからの回答を判定する（Ｓ．４５）。
【００９３】
ハイブリッドユニット３０にデータを記録せず、ハイブリッドユニット３０のデータを編集しない場合（Ｓ．４５にてＮｏ）、ユーザによって選択されたデータをハイブリッドユニット３０から再生する（Ｓ．４６）。このとき、再生しているデータを編集することも出来る。
【００９４】
ハイブリッドユニット３０にデータを記録する、または、ハイブリッドユニット３０のデータを編集する場合（Ｓ．４５にてＹｅｓ）、ハイブリッド制御部３０４は、テレビ、通信及びその他種々機器を用いて入力処理されたデータを光ディスクと関連付けられたデータ形式で、ハイブリッドユニット３０の大容量不揮発性メモリ３０３に記録する（Ｓ．４７）。
【００９５】
ハイブリッド制御部３０４は、大容量不揮発性メモリ３０３に残量があるか否かを判定し（Ｓ．４８）、残量が無い場合（Ｓ．４８にてＮｏ）、ハイブリッド制御部３０４は、（１）ハイブリッドユニット３０内の不要データを削除する、または（２）補助ユニット１０にハイブリッドユニット３０を挿入し、ハイブリッドユニット３０に記録されているデータを光ディスクにムーブする、の両方または何れか１つを実行するようユーザに促し、ユーザが上記（１）及び（２）が実行できる状態に遷移する。
【００９６】
大容量不揮発性メモリ３０３の残量が有る場合（Ｓ．４８にてＹｅｓ）、ユーザに記録、編集記録が行える状態に遷移する（Ｓ．５０）。また、ユーザが補助ユニット１０にハイブリッドユニット３０を挿入した場合、Ｓ．３１〜Ｓ．３９の処理を行うことで、大容量不揮発性メモリ３０３のデータを光ディスクに記録する（Ｓ．５１）。
【００９７】
本発明では、以上に述べたとおり、光ディスクに記録されたデータと該光ディスクのディスクＩＤと関連付けて大容量不揮発性メモリ３０３に記録したハイブリッドユニット３０を、ハイブリッドドライブ装置１１０から取り出すことが出来、該ハイブリッドユニット３０は、ポータブル表示装置２０の挿入口２１に取り付けることが出来る。ハイブリッドユニット３０が取り付けられたポータブル表示装置２０は、光ディスクに記録されたデータをハイブリッドユニット３０から視聴することが出来る。そのため、光ディスク装置７０を備えている表示装置と比べ、少ない消費電力で光ディスクに記録されたデータを視聴することが可能となる。
【００９８】
また、ハイブリッドユニット３０に記録されたデータは、ハイブリッドユニット３０をハイブリッドドライブ装置１１０に装填することにより、光ディスクへ記録することが出来る。
【００９９】
更に、補助ユニット１０とポータブル表示装置２０とを接続した際、自動的にポータブル表示装置２０の充電が行われるため、ユーザは意識することなくポータブル表示装置２０を充電することができる。
【０１００】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０１】
本発明は、ポータブル表示装置に対して、小さいバッテリで大容量データを用いることができるきわめて使い勝手のよいポータブルハイブリッドシステムを提供するものであり、産業上の利用可能性は高い。
【符号の説明】
【０１０２】
１      ポータブルハイブリッドシステム
１０    補助ユニット（補助装置）
１１    挿入口（接続部）
２０    ポータブル表示装置（表示装置）
２１    挿入口（接続部）
３０    ハイブリッドユニット
１１０  ハイブリッドドライブ装置
５０    制御部
６０    駆動部
７０    光ディスク装置
１１１  レーザ駆動部
１１２  再生信号処理部
１１３  ピックアップ駆動部
１１４  スピンドルモータ駆動部
１１５  ローデングメカ駆動部
１１６  変調／インターリーブ部
１１７  復調／デインターリーブ部
１１８  ドライブ制御部
１１９  インターフェース部
１２０  電源部
１２１  大容量バッテリ（バッテリ）
１２２  充電Ｉ／Ｆ（充電部）
２０１  インターフェース部
２０２  小バッテリ（バッテリ）
２０３  バッテリ残量検出部
２０４  データ圧縮／伸長部
２０５  ポータブル表示装置制御部
２０６  表示／入力処理部
２０７  表示部
２０８  ＴＶチューナ
２０９  静止動画処理部
２１０  外部機器入力部
２１１  通信処理部
２１２  表示ＬＣＤ
２１３  タッチパネル
３０１  インターフェース部
３０２  バッファメモリ
３０３  大容量不揮発性メモリ（メモリ部）
３０４  ハイブリッド制御部
３０５  インターフェース部
【図１】
2012022743.tif 000003
【図２】
2012022743.tif 000004
【図３】
2012022743.tif 000005
【図４】
2012022743.tif 000006
【図５】
2012022743.tif 000007
【図６】
2012022743.tif 000008
【図７】
2012022743.tif 000009